(57)【要約】  【課題】  光ディスク装置において、光ディスクの装着の有無にかかわらず対物レンズの汚れを検出可能にし使い勝手性を改善する。  【解決手段】  光ディスクの外径よりも外側に、対物レンズから出射されるレーザー光を該対物レンズ側に反射する反射手段を設け、該反射手段からの反射レーザー光に基づき上記対物レンズからの出射レーザー光の強さを判別し、光ディスク装着状態で上記対物レンズの汚れ状態を、光ディスクの汚れとは区別して検出する。光ディスクの汚れが検出された場合は、その旨の警告を自動的に行う。【選択図】  図１
2006107682.tif 000002
【特許請求の範囲】
【請求項１】
光ピックアップ内の対物レンズから光ディスクにレーザー光を照射し、情報の記録または再生を行う光ディスク装置であって、
上記光ディスクの外径よりも外側に配され、上記対物レンズから出射されるレーザー光を該対物レンズ側に反射する反射手段と、
上記光ピックアップを光ディスク半径方向に移動させ上記対物レンズを上記反射手段と対向させる移動手段と、
上記移動手段を制御し上記光ピックアップの移動を制御するとともに、上記反射手段からの反射レーザー光に基づき上記対物レンズからの出射レーザー光の強さが正常範囲にあるか否かを判別する制御手段と、
を備え、上記光ディスクを装着した状態で上記対物レンズの汚れ状態を検出可能とした構成を特徴とする光ディスク装置。
【請求項２】
光ピックアップ内の対物レンズから光ディスクにレーザー光を照射し、情報の記録または再生を行う光ディスク装置であって、
上記光ディスクの外径よりも外側に配され、上記対物レンズから出射されるレーザー光を光反射面で該対物レンズ側に反射する反射手段と、
上記光ピックアップを光ディスク半径方向に移動させ上記対物レンズを上記反射手段の光反射面に対向させる移動手段と、
上記移動手段を制御し上記光ピックアップの移動を制御するとともに、上記反射手段からの反射レーザー光の強さを基準値と比較し、上記対物レンズからの出射レーザー光の強さが正常範囲にあるか否かを判別し、該判別の結果、上記出射レーザー光の強さが正常範囲にない場合は上記対物レンズが汚れていると判断して対応した制御信号を出力する制御手段と、
上記制御信号に基づき警告を行う警告手段と、
を備え、上記光ディスクを装着した状態で上記対物レンズの汚れ状態を検出可能とし、該汚れが検出された場合は警告を行うとした構成を特徴とする光ディスク装置。
【請求項３】
光ピックアップ内の対物レンズから光ディスクにレーザー光を照射し、情報の記録または再生を行う光ディスク装置であって、
上記光ディスクの外径よりも外側に配され、上記対物レンズから出射されるレーザー光を光反射面で反射する反射手段と、
上記光ピックアップを光ディスク半径方向に移動させ上記対物レンズを上記反射手段の上記光反射面に対向させる移動手段と、
上記移動手段を制御し上記光ピックアップの移動を制御するとともに、上記反射手段からの反射レーザー光の強さを基準値と比較し、上記対物レンズからの出射レーザー光の強さが正常範囲にあるか否かを判別し、該判別の結果、上記出射レーザー光の強さが正常範囲にない場合は上記対物レンズが汚れていると判断して対応した制御信号を出力する制御手段と、
上記制御信号に基づき警告を行う警告手段と、
上記制御信号に基づき上記対物レンズとの間に相対変位し該対物レンズのレンズ面の汚れを除去するクリーニング手段と、
を備えた構成を特徴とする光ディスク装置。
【請求項４】
上記制御手段は、ディスク認識の段階で上記判別を行う構成である請求項１、２または３に記載の光ディスク装置。
【請求項５】
上記制御手段は、ディスク認識において光ディスクの記録面の光反射率または該記録面からの反射光の強さが所定値以下とされた場合に、上記光ピックアップを移動させて上記対物レンズを上記反射手段の反射面に対向させ、上記判別を行う構成である請求項１、２または３に記載の光ディスク装置。
【請求項６】
上記対向状態時の上記反射手段の反射面と上記対物レンズとの距離は、記録または再生時の上記光ディスクの記録面と該対物レンズとの距離に略等しくされた構成である請求項１、２または３に記載の光ディスク装置。
【請求項７】
上記反射手段の光反射面の光反射率は、上記光ディスクの記録面の光反射率と略等しくされている請求項１、２または３に記載の光ディスク装置。
【請求項８】
光ディスクにレーザー光を照射し情報の記録または再生を行う光ディスク装置における光ピックアップ内の対物レンズの汚れ検出方法であって、
光ディスクの記録面の光反射率または該記録面からの反射レーザー光の強さを求め、該光反射率または該反射レーザー光の強さが所定値以下か否かを判別する第１のステップと、
上記第１のステップにおける判別の結果、上記光反射率または上記反射レーザー光の強さが所定値以下の場合に、光ピックアップをディスク半径方向に移動させ、ディスク外径の外側に設けた光反射面に対物レンズを対向させる第２のステップと、
上記対物レンズからの反射レーザー光の強さを検出し、基準値と比較して該対物レンズからの出射レーザー光の強さが正常範囲にあるか否かを判別する第３のステップと、
上記第３のステップにおける判別の結果、上記出射レーザー光の強さが正常範囲にない場合に、上記対物レンズが汚れているとして対応する制御信号を形成し該制御信号に基づき警告を出す第４のステップと、
を経て、上記対物レンズの汚れを自動的に検出することを特徴とする対物レンズの汚れ検出方法。
【発明の詳細な説明】
【技術分野】
【０００１】
本発明は、光ディスク装置に係り、特に対物レンズの汚れ検出に関する。
【背景技術】
【０００２】
ＣＤやＤＶＤに代表される光ディスク装置は、ＡＶ機器やパーソナルコンピュータ、携帯機器などに広く使用されている。これらの機器では光ディスクをカートリッジに入れて使用するものと、ディスク単体で使用するものがある。ディスク単体で使用されるものは記録面が外部に露出しており、記録面上に汚れが付着することがある。
一方、機器内部の光学部品も、光ディスクを装置に装着する際等には外部に露出されるため、汚れが付着し易い。特に、対物レンズは外部への露出度が高くなるため、最も汚れが付き易い。このため、一般には光学部品の汚れは対物レンズの汚れとして扱われる。
対物レンズを含む光学部品あるいは光ディスクに汚れがある場合には、該光ディスクからの反射光の強さが低下して反射光量が減り、所定値以下となった場合には正常な記録または再生が不可能となる。このための対策を施すためには、該光量減少が対物レンズを含む光学部品の汚れに起因するのか、光ディスクの汚れに起因するのかを区別する必要がある。
対物レンズの汚れを、光ディスクの汚れと区別して検出するための従来技術としては、例えば特開２００４−３９１８９号公報（特許文献１）に記載されたものがある。該公報には、光ピックアップの対物レンズに対し光ディスク位置をはさんで反対側に光パワー検出器を設け、光ディスクを装置に装着しない状態で、対物レンズの透過光のパワーとレーザダイオード（＝レーザーダイオード）の電流とを、装置出荷時とテスト時とに測定し、該両時点で、上記透過光のパワーの差が所定値を超える場合は対物レンズが汚れているためであるとし、一方、レーザーダイオードの電流の差が所定値を超える場合はレーザーダイオードが劣化したためであるとする技術が記載されている。
【０００３】
【特許文献１】特開２００４−３９１８９号公報
【発明の開示】
【発明が解決しようとする課題】
【０００４】
上記従来技術では、光ディスクが装置に装着された状態では、対物レンズからの出射レーザ光（＝レーザー光）が該光ディスクで遮られてしまうため光パワー検出器に到達しない。このため、該光ディスク装着状態では、目的とする対物レンズの透過光のパワーもレーザーダイオードの電流も測定することができず、対物レンズの汚れ検出やレーザーダイオードの劣化検出は不可能である。また、光パワー検出器を必要とする構成のため、コスト増大につながり易いし、かつ、該光パワー検出器を装置の厚さ方向に設置する構成のため、装置の薄型化を阻害するおそれもある。さらに、例えば、記録または再生動作に先立つディスク認識の動作の一環として対物レンズ汚れの検出を行うことは不可能なため、装置の使い勝手性の点でも不利が予想されるおそれもある。
本発明の課題点は、上記従来技術の状況に鑑み、光ディスク装置において、光ディスクが装置に装着された状態においても、簡易・低コストかつ薄型の構成下で対物レンズの汚れを、光ディスクの汚れと区別して検出することができるようにすることである。
本発明の目的は、上記課題点を解決し、使い勝手性の良い光ディスク装置を提供することにある。
【課題を解決するための手段】
【０００５】
上記課題点を解決するために、本発明では、光ディスク装置として、光ディスクの外径よりも外側に、対物レンズから出射されるレーザー光を該対物レンズ側に反射する反射手段を設け、該反射手段からの反射レーザー光に基づき上記対物レンズからの出射レーザー光の強さを判別して、光ディスク装着状態で上記対物レンズの汚れを、光ディスクの汚れとは区別して検出可能な構成とする。対物レンズの汚れが検出された場合は、その旨の表示を行う等の警告を自動的に行う。
【発明の効果】
【０００６】
本発明によれば、光ディスク装置において、光ディスクの装着の有無にかかわらず、対物レンズの汚れを検出することができ、装置の使い勝手性を向上させることができる。
【発明を実施するための最良の形態】
【０００７】
以下、本発明の実施例につき、図面を用いて説明する。
図１〜図４は、本発明の第１の実施例としての光ディスク装置の説明図である。図１は、第１の実施例としての光ディスク装置の側面図、図２は、図１の光ディスク装置の全体構成例図、図３は、図１の光ディスク装置としてのディスクカメラの構成例図、図４は、第１の実施例としての光ディスク装置の動作説明図である。
図１において、（ａ）は光ピックアップが光ディスクに対向する位置にあるときの状態を示す側面図、（ｂ）は光ピックアップがディスク外径側に移動して対物レンズが該光ディスクの外径よりも外側に位置するようにしたときの状態を示す側面図である。対物レンズの汚れの検出は（ｂ）の状態で行う。
【０００８】
図１（ａ）、（ｂ）において、１は光ディスク装置、２は、光ディスク装置１に装着された光ディスク、３は、光ディスク２を回転駆動するスピンドルモータ、４は、対物レンズを介しレーザー光を出射するとともに照射面からの反射レーザー光を受光する光ピックアップ、５は該光ピックアップ４内に設けられた対物レンズ、６は、装置基体としてのメカシャーシ、７は、光ピックアップ４を光ディスク２の半径方向（ディスク半径方向）に案内しながら移動させる移動手段としての移動・案内機構部、８は、反射手段としてのミラー部であり、光ディスク２の外径よりも外側に配され、対物レンズ５に対向した光反射面を有し、該対物レンズ５から出射されるレーザー光を該対物レンズ５側に反射する。光ピックアップ４内では、レーザー光はレーザーダイオード（図示なし）で発生（発光）されて対物レンズ５から外部に出射され、外部の照射面からの反射レーザー光は対物レンズ５を通して光ピックアップ４内のフォトディテクタ等の検知手段（図示なし）で受光される。移動・案内機構部７は、光ピックアップ４をディスク半径方向に移動させ、対物レンズ５が光ディスク２の記録面に対向するディスク半径位置にあるときは記録または再生動作を可能にし、対物レンズ５が光ディスク２の外径よりも外側でミラー部８の光反射面に対向する位置にあるときは該対物レンズ５の汚れの検出を可能にする。該移動・案内機構部７は、例えば、送りモータ（図示なし）、該送りモータにより回転駆動されるリードスクリュー（図示なし）、該リードスクリューの表面のねじ部（図示なし）に係合したラック部（図示なし）、該リードスクリューに略平行に設けられ光ピックアップ４のディスク半径方向の移動を案内するガイド部材（図示なし）などから構成され、光ピックアップ４を移動可能な状態で支持する。メカシャーシ６は、スピンドルモータ３や、移動・案内機構部７や、ミラー部８を支持する。
【０００９】
ミラー部８は、光ディスク２の外径よりも外側にあって、その光反射面が光ディスク２の記録面と略平行かつ略同じ高さ位置となるようにされ、対物レンズ５と対向状態にあるときは、その光反射面と対物レンズ５との距離が、記録または再生時における光ディスク２の記録面と該対物レンズ５との距離に略等しくなるようにされている。例えば、光ディスク２がＣＤの場合は、ディスク表面と対物レンズ５との距離は約１．２×１０−３ｍとされる。この場合、該距離の精度としては、対物レンズ５がディスク面ぶれに追従できるように上下に移動可能な構造になっているため、±０．５×１０−３ｍ程度が確保できるようになっている。また、該ミラー部８の光反射面は、光反射率が光ディスク２の記録面と略等しくなるように構成されている。
【００１０】
上記のように、ミラー部８を光ディスク２の外径よりも外側に設けることで、光ディスク２が装置に装着されていない状態ではもちろん、光ディスク２が装置に装着されている状態においても、対物レンズ５からの出射レーザー光をミラー部８の光反射面に照射することができるため、対物レンズ５の汚れ検出が可能となる。また、ミラー部８の光反射面と対物レンズ５との距離を、光ディスク２の記録面と該対物レンズ５との距離に略等しくすることで、上記出射レーザー光の該光反射面や該記録面における集光条件や反射レーザー光の対物レンズ５側での受光条件を、記録・再生時と、対物レンズ５の汚れ検出時とで略同じに揃えることができ、記録・再生動作と対物レンズ５の汚れ検出動作との間の切替えが迅速かつ容易となる。また、ミラー部８の光反射面の光反射率を光ディスク２の記録面の光反射率と略等しくすることにおいては、例えば対物レンズ５側からの出射レーザー光の強さを、記録・再生動作時と対物レンズ５の汚れ検出動作時とで切換える必要がなくなる等の利点がある。さらに、ミラー部８の光反射面を光ディスク２と光学的に等価な部材とし、透明な樹脂がコーティングされた構成の場合には、汚れに対する耐力を上げることも可能となる。すなわち、該光反射面に汚れが付着しても該汚れはコーティングされた該透明樹脂面に付着することになり、該樹脂面では、レーザー光は集光されないために、該汚れに対し反射レーザー光の減衰率は緩やかとなり汚れの影響が抑えられる。
【００１１】
上記構成において、対物レンズ５の汚れ検出は、移動・案内機構部７により上記光ピックアップ４をディスク外周側に移動させ、少なくとも対物レンズ５がミラー部８の光反射面に対向する位置にある状態で、対物レンズ５からの出射レーザー光をミラー部８の光反射面に照射して行う（図１（ｂ））。対物レンズ５の該汚れ検出に当っては、マイコン等の制御手段により、上記移動・案内機構部７による上記光ピックアップ４の移動の制御と、対物レンズ５からの出射レーザー光の強さの判別とを行う。該出射レーザー光の強さの判別すなわち出射レーザー光の強さが正常範囲にあるか否かの判別は、ミラー部８からの反射レーザー光の強さが正常範囲にあるか否かで判別する。該反射レーザー光の強さが正常範囲にある場合は該出射レーザー光の強さも正常範囲内にあり、光ディスク装置１は、対物レンズ５に汚れはないかまたは許容範囲内の汚れレベルであると判断し、該反射レーザー光の強さが正常範囲にない場合は該出射レーザー光の強さも正常範囲になく、対物レンズ５には許容範囲を超えるレベルの汚れがあると判断し、自動的に警告を行う。
【００１２】
図２は、図１の光ディスク装置の全体構成例図である。
図２において、１は光ディスク装置、２は装着された光ディスク、３はスピンドルモータ、４は光ピックアップ、４ａは、光ディスク１の記録面からの反射レーザー光や、ミラー部８の光反射面からの反射レーザー光を検知し対応した電気信号に変換して出力するフォトディテクタ等の光検知部、５は対物レンズ、７は移動手段としての移動・案内機構部、８は反射手段としてのミラー部、１１は、移動・案内機構部７を構成し、光ピックアップ４の移動力を発生するスライドモータ、１２は、スピンドルモータ３及びスライドモータをそれぞれ駆動するモータ駆動回路、１３は、モータ駆動回路１２を制御するモータ制御回路、１４は、光ピックアップ４内における対物レンズ５の位置や姿勢を変えるアクチュエータ（図示なし）を駆動するためのアクチュエータ駆動回路、１５は、光ピックアップ４からの出力信号に基づき、再生信号の形成、トラッキング誤差信号やフォーカス誤差信号の形成、反射レーザー光の強さの検出等を行う再生・検出系、１５ａは、再生・検出系１５内にあって、上記光検知部４ａの出力信号に基づき、光ディスク１の記録面からの反射レーザー光や、ミラー部８の光反射面からの反射レーザー光の強さ（光パワー）を検出する光パワー検出手段、１６は、マイコンやＤＳＰ（Ｄｅｇｉｔａｌ  Ｓｉｇｎａｌ  Ｐｒｏｃｅｓｓｏｒ）などで構成され、光ディスク装置全体の制御を行う制御手段としての全体制御回路、１６ａは、全体制御回路１６内にあって、上記光パワー検出手段１５ａの出力に基づき対物レンズ５からの出射レーザー光の強さの判別を行い、該対物レンズの汚れを判断する判別手段、１７は、上記判別手段１６ａによる判別の結果、対物レンズ５に汚れがあると判断される場合、該対物レンズ５に汚れがある旨の警告を行う警告手段である。警告は表示等により行う。アクチュエータ駆動回路１４、モータ制御回路１３及び警告手段１７は、全体制御回路１６により制御される。
【００１３】
上記構成において、例えば、記録時または再生時には、光ピックアップ４は、移動・案内機構部７により対物レンズ５が光ディスク２の記録面に対向する位置の範囲をディスク半径方向に移動されながら、対物レンズ５からレーザー光を光ディスク２の記録面に照射するとともに、該記録面からの反射レーザー光を、対物レンズ５を通して受光し、光検知部４ａで電気信号に変換して出力する。出力された信号は再生・検出系１５に入力され、該再生・検出系１５では、これに基づき、再生信号、フォーカス誤差信号、トラッキング誤差信号、反射レーザー光強度を示す信号などが形成される。フォーカス誤差信号やトラッキング誤差信号はフォーカスサーボやトラッキングサーボのためのサーボ信号として用いられ、反射レーザー光強度を示す信号は、例えば光ディスク装着後のディスク認識動作における光ディスク２の記録面の光反射率評価用信号として用いられる。
【００１４】
例えば、上記ディスク認識動作において、光ディスク２の記録面の光反射率が所定値に達しない場合は、ディスク認識に異常がある、すなわち光ディスク２の記録面に汚れがあるか、ディスク種別として低反射率の光ディスクであるかまたは対物レンズ５に汚れがあるかの少なくともいずれかとされ、このうち、対物レンズ５に汚れがあるか否かのチェックを、対物レンズ５をミラー部８の光反射面に対向する位置まで移動させて行う。すなわち該位置で対物レンズ５からの出射レーザー光をミラー部８の光反射面に照射し、その反射レーザー光を対物レンズ５を通して光検知部４ａで受光し電気信号に変換して出力する。出力された信号は再生・検出系１５に入力され、該再生・検出系１５では、反射レーザー光強度を示す信号が光パワー検出手段１５ａにおいて形成される。全体制御回路１６の判別手段１６ａでは、対物レンズ５からの出射レーザー光の強さの判別を行う。該出射レーザー光の強さの判別すなわち該出射レーザー光の強さが正常範囲にあるか否かの判別は、ミラー部８からの反射レーザー光の強さが正常範囲にあるか否かで判別する。すなわち反射レーザー光強度を示す信号を予め設定された基準値と比較し、該信号が該基準値以上で反射レーザー光の強さが正常範囲にある場合は出射レーザー光の強さも正常範囲にあり、対物レンズ５に汚れはないかまたは許容範囲内の汚れレベルであると判断し、該信号が該基準値未満で反射レーザー光の強さが正常範囲にない場合は出射レーザー光の強さも正常範囲になく、対物レンズ５には許容範囲を超えるレベルの汚れがあると判断する。対物レンズ５に許容範囲を超えるレベルの汚れがあると判断した場合、全体制御回路１６は、対応する制御信号を形成し警告手段を作動させて自動的に警告を行わせる。ユーザは例えば、該警告に従い、対物レンズ５をクリーニングして汚れを除去することになる。上記予め設定される基準値は、対物レンズ５に汚れがない場合の値に基づき設定される値である。
【００１５】
図３は、上記図１の光ディスク装置としてのディスクカメラの構成例を示す図である。
図３において、９はカメラ筐体、１０はカバーである。また、２〜８はそれぞれ、上記図１の構成の場合と同じ構成要素を示す。ミラー部８は、カメラ筐体９の内側にあって、光ディスク２の外径よりも外側に配されている。光ディスク２の装着後はカバー１０によってディスク面が覆われる。
【００１６】
図４は、上記第１の実施例としての光ディスク装置の動作説明図である。
図４において、
（１）先ず、光ディスク装置１の電源がオン状態とされる（ステップＳ４０１）。
（２）全体制御回路１６が、光ディスク２が装着された状態でドライブの初期化を行う（ステップＳ４０２）。
（３）全体制御回路１６は、ディスク認識を行い、該ディスク認識動作において異常があるか否かを判別する（ステップＳ４０３）。ディスク認識では、光ディスク２の有無、光ディスク２のディスク種別、光ディスク２の記録面の光反射率の評価等を行う。例えば、光ディスク２の記録面の光反射率が所定値に達しない場合は、ディスク認識に異常があると判別される。所定のディスク種別の光ディスクが装着されていて、かつ記録面の光反射率も所定値に達している場合は、ディスク認識に異常はないと判別される。
（４）上記ステップＳ４０３における判別の結果、ディスク認識に異常がない場合には、全体制御回路１６は、ドライブ調整や学習を行い、「ＲＥＡＤＹ」状態になる（ステップＳ４１１、ステップＳ４１２）。
（５）上記ステップＳ４０３における判別の結果、ディスク認識に異常があるとされる場合は、全体制御回路１６は、モータ制御回路１３、モータ駆動回路１２を介して、スライドモータ１１を含む移動・案内機構部７を制御し、光ピックアップ４を光ディスクの半径方向に移動させ、対物レンズ５が光ディスク２の外径よりも外側の位置でミラー部８の光反射面に対向するようにする（ステップＳ４０４）。
【００１７】
（６）上記対向位置において、全体制御回路１６は、アクチュエータ駆動回路１４及びアクチュエータを介して対物レンズ５の位置（姿勢も含む）を調整し、対物レンズ５からの出射レーザー光が、ミラー部８の光反射面に合焦状態で集光されるようにする（ステップＳ４０５）。
（７）光検知部４ａが、ミラー部８の光反射面からの反射レーザー光を検知し、再生・検出系１５の光パワー検出手段１５ａが、該検知出力に基づき、該反射レーザー光の強さ（光パワー）を検出する（ステップＳ４０６）。
（８）全体制御回路１６の判別手段１６ａは、上記検出結果に基づき、対物レンズ５からの出射レーザー光の強さの判別を行う（ステップＳ４０７）。該出射レーザー光の強さの判別すなわち該出射レーザー光の強さが正常範囲にあるか否かの判別は、上記検出したミラー部８からの反射レーザー光の強さが正常範囲にあるか否かすなわち検出レベルが異常か否かで判別する。すなわち反射レーザー光強度を示す信号を予め設定された基準値と比較し、該信号が該基準値以上で反射レーザー光の強さが正常範囲にある場合は出射レーザー光の強さも正常範囲にあって検出レベルに異常はなく、対物レンズ５に汚れはないかまたは許容範囲内の汚れレベルであると判断し、該信号が該基準値未満で反射レーザー光の強さが正常範囲にない場合は出射レーザー光の強さも正常範囲になくて検出レベルは異常であり、対物レンズ５には許容範囲を超えるレベルの汚れがあると判断する。
（９）上記ステップＳ４０７における判別の結果、対物レンズ５に許容範囲を超えるレベルの汚れがあると判断された場合、全体制御回路１６は、対応する制御信号を形成し警告手段を作動させて自動的に警告を行わせる（ステップＳ４０８）。
（１０）ユーザは、上記警告に従い、対物レンズ５をクリーニングして汚れを除去する（ステップＳ４０９）。
【００１８】
（１１）上記クリーニングの後、全体制御回路１６は、光ディスク装置１に、再び上記ステップＳ４０５、ステップＳ４０６、ステップＳ４０７の動作を行わせ、検出レベルが異常でないとされた場合は、ステップＳ４１１、ステップＳ４１２の動作に移行させる。
（１２）上記ステップＳ４０７における判別の結果、対物レンズ５に許容範囲を超えるレベルの汚れはないと判断された場合には、全体制御回路１６は、上記検出レベルが異常である要因は光ディスク２側にあるとして制御対応する（ステップＳ４１０）。光ディスク２側の要因としては一般に、光ディスク２の記録面に汚れがあることや、ディスク種別として低反射率の光ディスクが装着されてしまっていることなどが考えられる。
（１３）上記ステップＳ４１０の対応動作による改善後は、全体制御回路１６は、光ディスク装置１に、再び上記ステップＳ４０５、ステップＳ４０６、ステップＳ４０７の動作を行わせ、検出レベルが異常でないとされた場合は、ステップＳ４１１、ステップＳ４１２の動作に移行させる。
【００１９】
上記（２）〜（９）の一連の動作は、全体制御回路１６内のコンピュータが、装置内に記憶されているプラグラムに従って各ステップの動作手順を実行することにより、自動的に行われる。
【００２０】
上記第１の実施例によれば、光ディスク装置１において、光ディスク２の外径の外側にミラー部８を設け、その光反射面に対物レンズ５からレーザー光を照射して該対物レンズ５の汚れ検出を行う構成のため、光ディスク２が装置に装着された状態においても、対物レンズ５の汚れを、光ディスク２の汚れと区別して検出することができるし、装置の厚さも薄型にすることができる。また、光ディスク２の記録面からの反射レーザー光を検知する光ピックアップ４内の光検知部４ａを、対物レンズ５の汚れ検出に兼用する構成のため、簡易かつ低コストな装置構成とすることができる。また、上記により、装置の使い勝手性を向上させることができる。
【００２１】
図５は、本発明の第２の実施例としての光ディスク装置の構成例図である。本実施例は、対物レンズ５のクリーニング動作を、該対物レンズ５が光ディスク２の外径の外側位置にあるとき、自動的に行えるようにした場合である。
図５において、２０は、クリーニング手段としてのクリーニング部材である。クリーニング部材２０は、ミラー部８の外側位置でメカシャーシ６に取付けられ、例えば先端がブラシ状とされた構成を有しているとする。他の構成要素は、その構成、作用とも、上記図１、図２に示した第１の実施例の場合と同じである。本第２の実施例では、上記図３のステップＳ４０９における対物レンズ５のクリーニングを、全体制御回路１６の制御により自動的に行う。すなわち、許容範囲を超えるレベルの汚れがあると判断されると、全体制御回路１６は、モータ制御回路１３及びモータ駆動回路１２を介しスライドモータ１１を制御して、移動・案内機構部７により光ピックアップ４をディスク半径方向に対し往復移動させ、対物レンズ５を往復移動させて、レンズ面の汚れを自動的に除去させる。該往復移動時において、対物レンズ５を、往路移動時はクリーニング部材２０の先端に接触させた状態で移動させ、復路移動時はレンズ面をクリーニング部材２０の先端から後退させ、該先端部に接触させない状態で移動させる。汚れ除去後は、全体制御回路１６は、光ディスク装置１に、図４のステップＳ４０５、ステップＳ４０６、ステップＳ４０７の動作を行わせ、ステップＳ４０７における検出レベルが異常でないとされた場合は、図４のステップＳ４１１、ステップＳ４１２の動作に移行させる。上記クリーニング部材２０による対物レンズ５の汚れ除去動作は、該対物レンズ５の往路移動時及び復路移動時の双方において、該対物レンズ５を、クリーニング部材２０の先端に接触させるようにしてもよいし、または、該対物レンズ５を往復移動はさせずに一方向にのみに移動させて、汚れ除去を行うようにしてもよい。本第２の実施例においても、全体制御回路１６内のコンピュータが、装置内に記憶されているプラグラムに従い、各ステップの動作手順を実行することにより、上記対物レンズの汚れ検出動作及び汚れ除去動作が一連の動作として自動的に行われる。
【００２２】
上記第２の実施例によれば、上記第１の実施例における効果に加え、さらに、対物レンズ５のクリーニングを、汚れ検出動作に連続した自動動作として行わせることができ、光ディスク装置の使い勝手性を一層向上させることができる。
【００２３】
なお、上記実施例構成では、ミラー部８をメカシャーシ６に取付ける構成としたが、これには限定されず、例えばミラー部８は、装置筐体などに取付ける構成としてもよい。クリーニング部材２０についても同様である。また、光検知部４ａとしては、光ディスク２の記録面からの反射レーザー光を検知するものとは別個のものを設け、ミラー部８の反射レーザー光のみを検知するようにしてもよい。
【図面の簡単な説明】
【００２４】
【図１】第１の実施例としての光ディスク装置の側面構成例図である。
【図２】図１の光ディスク装置の全体構成例図である。
【図３】図１の光ディスク装置としてのディスクカメラの構成例図である。
【図４】第１の実施例としての光ディスク装置の動作説明図である。
【図５】第２の実施例としての光ディスク装置の側面構成例図である。
【符号の説明】
【００２５】
１…光ディスク装置、
２…光ディスク、
３…スピンドルモータ、
４…光ピックアップ、
４ａ…光検知部、
５…対物レンズ、
６…メカシャーシ、
７…移動・案内機構部、
８…ミラー部、
１１…スライドモータ、
１２…モータ駆動回路、
１３…モータ制御回路、
１４…アクチュエータ駆動回路、
１５…再生・検出系、
１５ａ…光パワー検出手段、
１６…全体制御回路、
１６ａ…判別手段、
１７…警告手段、
２０…クリーニング部材。
【図１】
2006107682.tif 000003
【図２】
2006107682.tif 000004
【図３】
2006107682.tif 000005
【図４】
2006107682.tif 000006
【図５】
2006107682.tif 000007